(57)【要約】【課題】子供の興味を引きつけ、かつ、一瞬のシャッタチャンスを逃さずに撮影するのに有効な機能を持つカメラを提供する。【解決手段】カメラの被写体側と撮影者側の両方の面に表示部を設けて被写体側の第２表示エリアに被写体である子供の興味を引くような複数の映像を順次切り替えて表示する際に、撮影者側の第１表示エリアの一部にも第２表示エリアに表示する画像を選択図のタイムチャートが示すように設定時間だけ早く表示することで画面の切り替わるタイミングを事前に得られ、子供の表情の変化を予測できるようにしてシャッタチャンスを逃さなくする。また、一度撮影したシャッタタイミング（図のｙ点で示す。）を被写体側画像の表示内容と関連付けて記憶し、同一の画像表示のタイミング（図のｘ点で示す。）で自動的に撮影動作を行う。【選択図】      図１２
2004266771.tif 000002
【特許請求の範囲】
【請求項１】
撮像される被写体の像を表示する第１の表示手段と、
前記被写体側から視認可能に設けられた第２の表示手段と、
予め定められた画像情報が記憶された画像情報記憶手段と、
この画像情報記憶手段に記憶された画像情報を前記第１の表示手段と前記第２の表示手段とに前記第１の表示手段での表示が所定時間だけ先に行われるように表示させる表示制御手段と、
前記被写体の像を撮影する撮像指示手段と
を備えたことを特徴とする撮像装置。
【請求項２】
前記画像情報記憶手段に記憶された画像情報は複数の画像情報からなり、前記表示制御手段は前記複数の画像情報を順次前記第１の表示手段と前記第２の表示手段とに表示させることを特徴とする請求項１に記載の撮像装置。
【請求項３】
更に、前記第１の表示手段に表示された画像情報が前記第２の表示手段に表示されるまでの時間情報を報知する時間情報報知手段を備えたことを特徴とする請求項１に記載の撮像装置。
【請求項４】
更に、前記所定時間を設定する時間設定手段を備えたことを特徴とする請求項１、２又は３に記載の撮像装置。
【請求項５】
被写体を撮像する撮像装置において、
前記被写体側から視認可能に設けられた表示手段と、
予め定められた複数の画像情報が記憶された画像情報記憶手段と、
この表示制御手段による表示が行われている際に前記被写体の像を撮影する撮像指示手段と、
この撮像指示手段によって撮影がなされた際のタイミング情報を記憶するタイミング情報記憶手段と、
前記表示制御手段によって前記画像情報記憶手段に記憶されているタイミング情報に基づくタイミングで自動的に撮影を行わせる自動撮影手段と
を備えたことを特徴とする撮像装置。
【請求項６】
更に、前記自動撮影手段によって撮影が行われるまでの時間情報を報知する時間情報報知手段を備えたことを特徴とする請求項５に記載の撮像装置。
【請求項７】
前記撮像指示手段は、一定時間毎に複数回撮影を行うことを特徴とする請求項１又は５に記載の撮像装置。
【請求項８】
前記画像情報記憶手段は、着脱可能な記憶媒体であることを特徴とする請求項１又は５に記載の撮像装置。
【請求項９】
前記画像情報記憶手段に記憶された画像情報は、外部から入力された画像情報であることを特徴とする請求項１又は５に記載の撮像装置。
【請求項１０】
更に、前記表示手段による表示を行わせることなく前記撮像指示手段で被写体像の撮影を行わせる通常撮影手段を備え、前期画像情報記憶手段に記憶された画像情報は前記表示手段による表示が行われた際に撮影された画像情報及び前記通常撮影手段によって撮影された画像情報のいずれかであることを特徴とする請求項１又は５に記載の撮像装置。
【請求項１１】
コンピュータを、撮像される被写体の像を第１の表示手段に表示させる第１の表示制御手段、
予め定められた画像情報が記憶された画像情報記憶手段から前記画像情報を読み出して前記第１の表示手段と前記被写体側から視認可能に設けられた第２の表示手段とに前記第１の表示手段での表示が所定時間だけ先に行われるように表示させる第２の表示制御手段、
この第２の表示制御手段による表示が行われている際に撮像指示手段の投入により前記被写体の像の撮影を行わせる撮影手段、
として機能させることを特徴とする撮像プログラム。
【請求項１２】
被写体を撮像する撮像装置の撮像プログラムであって、
コンピュータを、前記被写体側から視認可能に設けられた表示手段に予め定められた複数の画像情報が記憶された画像情報記憶手段から読み出した前記複数の画像情報を順次表示させる表示制御手段、
この表示制御手段による表示が行われている際に撮像指示手段の投入によって前記被写体の像を撮影する撮影手段、
この撮影手段によって撮影がなされた際のタイミング情報をタイミング情報記憶手段に記憶させる記憶制御手段、
前記表示制御手段によって前記画像情報記憶手段に記憶された前記複数の画像情報を再度前記表示手段に表示させた際に前記タイミング情報記憶手段に記憶されているタイミング情報に基づくタイミングで自動的に撮影を行わせる自動撮影手段、
として機能させることを特徴とする撮像プログラム。
【発明の詳細な説明】
【０００１】
【発明の属する技術分野】
本発明は、表示装置を備える撮像装置及び撮像プログラムに関する。
【０００２】
【従来の技術】
従来、デジタルカメラなどで幼い子供を撮影する際、子供の視線をカメラに向けさせて自然に微笑ませた一瞬を逃さずに撮影することは困難であった。その為、子供の視線をカメラに向けさせる手段として被写体側から視認可能な表示部に子供の喜ぶキャラクタ画像等を表示し、同じ画像を撮影者が視認可能な表示部にも表示する撮像装置が知られている（例えば、特許文献１及び特許文献２参照。）。
【０００３】
【特許文献１】
特開平１１−４６３１６号公報
【特許文献２】
特開２００１−２５７９１１号公報
【０００４】
【発明が解決しようとする課題】
子供の表情の変化は表示している画像の変化と相関が高いと思われるが、前述した撮像装置では撮影者が画像の変化するタイミングを正確に予測できないという課題があった。また、子供が喜ぶ画像は再度見せても喜ぶという再現性が予測されるが、この再現性を有効に利用していないという課題があった。
【０００５】
本発明は、かかる従来の課題に鑑みてなされたものであり、子供の興味を引きつけ、かつ、一瞬のシャッタチャンスを逃さずに撮影するのに有効な機能を持つ撮像装置及び撮像プログラムを提供することを目的とする。
【０００６】
【課題を解決するための手段】
前記課題を解決するために、請求項１の発明にあっては、撮像される被写体の像を表示する第１の表示手段と、前記被写体側から視認可能に設けられた第２の表示手段と、予め定められた画像情報が記憶された画像情報記憶手段と、この画像情報記憶手段に記憶された画像情報を前記第１の表示手段と前記第２の表示手段とに前記第１の表示手段での表示が所定時間だけ先に行われるように表示させる表示制御手段と、前記被写体の像を撮影する撮像指示手段とを備えるものとした。
【０００７】
このような構成によれば、カメラの被写体側と撮影者側の両方の面に表示部を設けて被写体側表示部に被写体である子供の興味を引くような画像を表示する際に、撮影者側表示部にも被写体側表示部に表示する画像を設定時間だけ早く表示することで被写体側表示部に画像が表示されるタイミングを事前に得て、子供の表情の変化を予測できるようにしてシャッタチャンスを逃さなくすることを可能とした。
【０００８】
また、請求項２の発明にあっては、前記画像情報記憶手段に記憶された画像情報は複数の画像情報からなり、前記表示制御手段は前記複数の画像情報を順次前記第１の表示手段と前記第２の表示手段とに表示させるものとした。このような構成によれば、カメラの被写体側と撮影者側の両方の面に表示部を設けて被写体側表示部に被写体である子供の興味を引くように複数の映像を順次切り替えて表示していくことを可能とした。
【０００９】
また、請求項３の発明にあっては、更に前記第１の表示手段に表示された画像情報が前記第２の表示手段に表示されるまでの時間情報を報知する時間情報報知手段を備えるものとした。このような構成によれば、撮影者側表示部にも被写体側表示部に表示する画像を設定時間だけ早く表示した際に、被写体側表示部に画像が表示されるまでの正確な時間をカウント表示や発信音などで報知することにより、より正確に被写体側表示部の画像表示されるタイミングが得られることを可能とした。
【００１０】
また、請求項４の発明にあっては、更に前記所定時間を設定する時間設定手段を備えるものとした。このような構成によれば、撮影者側表示部に画像を表示してから被写体側表示部に同じ画像を表示するまでの時間が設定できるようにしたことにより、撮影者夫々の使い勝手に合わせられることを可能とした。
【００１１】
また、請求項５の発明にあっては、被写体を撮像する撮像装置において、前記被写体側から視認可能に設けられた表示手段と、予め定められた複数の画像情報が記憶された画像情報記憶手段と、この表示制御手段による表示が行われている際に前記被写体の像を撮影する撮像指示手段と、この撮像指示手段によって撮影がなされた際のタイミング情報を記憶するタイミング情報記憶手段と、前記表示制御手段によって前記画像情報記憶手段に記憶されているタイミング情報に基づくタイミングで自動的に撮影を行わせる自動撮影手段とを備えるものとした。このような構成によれば、一度撮影したシャッタタイミングを被写体側画像の表示内容及び表示経過時間と関連付けて記憶し、再度同じ画像が表示される際に同一のタイミングで自動的に撮影動作を行うことを可能とした。
【００１２】
また、請求項６の発明にあっては、更に前記自動撮影手段によって撮影が行われるまでの時間情報を報知する時間情報報知手段を備えるものとした。このような構成によれば、前記同一の画像表示のタイミングで自動的に撮影動作を行われるまでの正確な時間をカウント表示や音などで報知することにより、自動的に撮影されるタイミングが得られることを可能とした。
【００１３】
また、請求項７の発明にあっては、前記撮像指示手段は、一定時間毎に複数回撮影を行うものとした。このような構成によれば、一回の撮像操作において時間をずらして複数の撮影が行われ、子供など被写体の表情の変化をコマ送り状の複数の画像として撮影することによって決定的な瞬間の表情を撮影する確率を増やすことを可能とした。
【００１４】
また、請求項８の発明にあっては、前記画像情報記憶手段は着脱可能な記憶媒体であるものとした。このような構成によれば、撮影者側表示部や被写体側表示部に表示する画像を記憶する記憶媒体を便宜に応じて交換するという簡単な操作によって表示する画像を全く違う画像の組み合わせに変更することを可能とした。
【００１５】
また、請求項９の発明にあっては、前記画像情報記憶手段に記憶された画像情報は外部から入力された画像情報であるものとした。このような構成によれば、撮影者側表示部や被写体側表示部に表示する画像をインターネットなどの通信手段を介して入力することで表示する画像の種類を増やすことを可能とした。
【００１６】
また、請求項１０の発明にあっては、更に、前記表示手段による表示を行わせることなく前記撮像指示手段で被写体像の撮影を行わせる通常撮影手段を備え、前期画像情報記憶手段に記憶された画像情報は前記表示手段による表示が行われた際に撮影された画像情報及び前記通常撮影手段によって撮影された画像情報のいずれかであるものとした。このような構成によれば、本撮像装置で撮影された画像を撮影者側表示部や被写体側表示部に表示する画像として利用できるようにすることで子供などの被写体に見せる画像の種類を容易に増やすことを可能とした。
【００１７】
【発明の実施の形態】
以下、図面を参照して本発明の第１の実施の形態を説明する。
ここでは、撮像装置の実施形態として電子カメラを一例に説明する。
【００１８】
図１（Ａ）と図１（Ｂ）は、電子カメラ１の撮影者側の面２と被写体を撮影するレンズ側の面３それぞれを正面に見た外観図である。図１（Ａ）に示すように電子カメラ１の撮影者側の面２の上部左側には撮影する被写体の像を撮影者に目視させる光学ファインダ窓６が設けられ、また中央部には後述するレンズ部１４によって結像されて後述する電子回路部によって処理された被写体の像や撮影に関する諸情報を表示する第１表示エリア７が設けられている。スライドスイッチなどで構成される動作モードキー８は、記憶された静止画像及び動画像の表示再生や音声再生を行う再生モードと、静止画像及び動画像の撮影や音声の録音を行う通常の撮影モードと、詳細は後述するが子供など被写体の注意を引くような画像（以後、注目画像と称呼する。）を被写体側から視認可能に表示させた状態で被写体の撮影を行う注目撮影モードとをそれぞれ選択設定するキーである。また、動作モードキー８以外に電子カメラ１の動作に関する各種設定の一覧表示を行うＭＥＮＵキー９、詳細を後述する各種設定で第１表示エリア７に表示されるカーソルポインタの上下左右の移動操作や決定操作を行う十字操作レバーキー１０及びデータ登録の取り消しなどを行うキャンセルキー１１が備えられており、更に底面４には、メモリカード等の挿脱を行う外部記憶媒体挿入口１２とＵＳＢインターフェイス端子部１３が設けられている。
【００１９】
一方、図１（Ｂ）に示すように電子カメラ１の被写体側の面３には、被写体の像を後述する撮像素子の受光面に結像させるレンズ部１４、被写体の像を前記光学ファインダ窓６に結像させる光学レンズなどからなるファインダ集光部１５、被写体の撮影に必要な光量を発光によって補うストロボ１６、電子回路部によって制御されて子供などの被写体に画像を表示して見せる第２表示エリア１７、音声を再生するスピーカ１８及び音声を録音するマイク１９が備えられており、上面５には、電子カメラの電源ＯＮ／ＯＦＦ制御を行う電源キー２０及び撮影を実行させるシャッタキー２１が備えられている。
【００２０】
前述の十字操作レバーキー１０について説明を補足する。十字操作レバーキー１０を操作部として備えている図示しない十字キー入力ユニットには、上下左右それぞれの向きに力が加えられたときに、この上下左右それぞれの向きの力を区別して検知するように４つのスイッチが備えられ、また、十字操作レバーキー１０の中心部分が押されたときに十字操作レバーキー１０が押されたことを検知するスイッチが備えられている。即ち、十字操作レバーキー１０に上下左右それぞれの向きに力が加えられると、上キー、下キー、左キー及び右キーという４つの方向のカーソル移動操作のキー入力が行われ、また、十字操作レバーキー１０の中心が押されると、後述する決定キーとしてのキー入力が行われる。
【００２１】
図２は電子カメラ１の電子回路部の構成を示すブロック図であり、前述のレンズ部１４、ＲＧＢカラーＣＣＤを備え被写体の画像信号を生成する撮像部３１、画像信号をカラー変換処理やフィルタ処理を行う画像信号処理部３２、電子カメラ１全体の動作を制御する制御部３３、電子カメラ１の制御を行うためのプログラムやデータが記憶されるプログラムメモリ３４、画像信号を一時的に保存して再生処理やその他の加工処理などに便宜を図るとともに後述するタイマカウンタ（以後、ＴＣと略す）や表示させる注目画像の画像番号（以後、Ｎと略す。）などのワーク変数名やその値を処理プログラムが実行されている際に一時記憶するワークメモリ３５、注目撮影モードの設定データ等を記憶するフラッシュメモリ３６、画像データを画像ファイルとして保存する外部記憶媒体３７、画像信号をデータ圧縮して符号化した画像データに変換したり、その逆の伸張処理を行う画像圧縮伸張部３８、図１の（Ａ）で示した第１表示エリア７を備え撮影時の構図確認の為の画像や撮影に関する情報を表示する第１表示部３９、図１の（Ｂ）で示した第２表示エリア１７を備え被写体に見せる注目画像を表示する第２表示部４０、前述した電源キー２０とシャッタキー２１と動作モードキー８とＭＥＮＵキー９と十字操作レバーキー１０及びキャンセルキー１１を備え電子カメラ１の制御のための指示や設定を行うキー入力部４１、図示しない反射光量計測センサを備えて撮影に必要な分の光量に調整してストロボ１６の発光制御を行うストロボ制御部４２、前述したスピーカ１８とマイク１９と図示しない音声の録音再生制御部を備えた音声入出力部４３、前述したＴＣや連続撮影での時間間隔を制御するインターバルタイマ（以後、ＩＴと略す。）などのタイマ時間の計測を行う時間計測部４４、及び外部記憶媒体３７に記憶されたデータを外部に出力したりデータを外部から取り込むといったパソコンなどの外部機器とＵＳＢインターフェイスでデータ通信を行うＵＳＢインターフェイス端子部１３を備える通信送受信部４５で構成され、これらは画像信号や制御信号などのデータ転送を行う経路であるデータバス４６を介して信号のやりとりが行われる。
【００２２】
図３はプログラムメモリ３４に記憶されるデータの構成を示す図である。プログラムメモリ３４は電子カメラ１の制御及びデータ処理を行うために実行される処理プログラムを記憶するプログラムエリア３４ａと前記制御及び前記データ処理を行う際に必要なデータを記憶するデータエリア３４ｂを備える。そして、前記データエリア３４ｂに、注目撮影モードで第１表示エリア７及び第２表示エリア１７に表示される注目画像データが、パス名とそれぞれの画像ファイルを区別するファイル名「静止画像Ａ」「静止画像Ｂ」「静止画像Ｃ」「動画像Ｄ」が付けられて記憶されている。ここで前記パス名について説明すると、前記注目画像データがプログラムメモリ３４に画像ファイルとして予め記憶されている際に、その画像ファイルの所在場所を示すのがパス名であり、この例では「内蔵」というパス名を用いる。
【００２３】
図４はフラッシュメモリ３６に記憶されるデータの構成を示す図である。このフラッシュメモリ３６はデータを書換え可能に記憶するとともに、電力供給が無くなった後もデータの記憶を保持するメモリである。このフラッシュメモリ３６は、注目撮影モードで制御処理に使用される注目撮影設定データが記憶される注目撮影設定データエリア３６ａと、注目撮影モードで注目画像の表示状態に関連付けてシャッタタイミングを記憶して再度同じ表示状態になったとき自動的に撮影を行う自動撮影モードの制御処理に使用される自動撮影データが記憶される自動撮影データエリア３６ｂを備える。
【００２４】
そして、注目撮影設定データエリア３６ａには、複数の注目撮影設定データが記憶されており、それぞれの注目撮影設定データは設定名で区別されている。それぞれの注目撮影設定データは、設定名データ３６ａ１、第１表示エリア７と第２表示エリア１７に注目画像を表示する際の表示開始の時間差を定めるデータからなる表示の時間差データ３６ａ２、再生する音声の大きさを定めるデータからなる音声レベルデータ３６ａ３、第２表示部１７の注目画像が次の注目画像に切り替わるまでの時間を撮影者に報知する方法を定めるデータからなる表示切替報知方法データ３６ａ４、自動撮影を行うかどうかを定めるフラグからなる自動撮影モードフラグデータ３６ａ５、第１表示エリア７と第２表示エリア１７に表示する注目画像に割り振られた画像番号の最終番号を示すデータからなる注目画像数データ３６ａ６、注目撮影モードの処理を開始してから第１表示エリア７に第１の画像番号が割り振られた注目画像の表示を開始する時間もしくはキー入力を定めるデータからなる表示開始時間データ３６ａ７、第１の画像番号が割り振られた注目画像（以後、第１の注目画像と称呼する。）の画像ファイルの所在場所を定めるデータからなる第１のパス名データ３６ａ８、第１の注目画像の画像ファイル名を定めるデータからなる第１のファイル名データ３６ａ９、第１の注目画像の表示時間の長さを定めるデータからなる第１の表示時間データ３６ａ１０、第２の画像番号が割り振られた注目画像（以後、第２の注目画像と称呼する。）の画像ファイルの所在場所を定めるデータからなる第２のパス名データ３６ａ１１、第２の注目画像の画像ファイル名を定めるデータからなる第２のファイル名データ３６ａ１２及び第２の注目画像の表示時間の長さを定めるデータからなる第２の表示時間データ３６ａ１３が記憶され、以下同様に注目画像数データ３６ａ６の定める画像番号の最終番号まで、それぞれの画像番号が割り振られた注目画像の画像ファイルのパス名データとファイル名データ及び表示時間データが記憶される。
【００２５】
一方、自動撮影データエリア３６ｂには、それぞれの自動撮影データが記憶される際に使用されている注目撮影設定データの設定名を示すデータからなる設定名データ３６ｂ１、自動撮影を行うタイミングの記憶数を示すデータからなる撮影タイミング記憶数データ３６ｂ２、第１の自動撮影データが記憶される際に第２表示エリア１７に表示されている注目画像に割り振られた画像番号を示すデータからなる第１の撮影実行画像番号データ３６ｂ３、この第１の撮影実行画像番号データ３６ｂ３で示される画像番号の注目画像が第２表示エリア１７に表示されてから自動撮影データとして記憶されるまでの経過時間を示すデータからなる撮影実行時間データ３６ｂ４、第１の自動撮影データとして記憶される際に行われた連続撮影回数を示すデータからなる第１の連続撮影回数データ３６ｂ５、第２の自動撮影データが記憶される際に第２表示エリア１７に表示されている注目画像に割り振られた画像番号を示すデータからなる第２の撮影実行画像番号データ３６ｂ６、この第２の撮影実行画像番号データ３６ｂ６で示される画像番号の注目画像が第２表示エリア１７に表示されてから自動撮影データとして記憶されるまでの経過時間を示すデータからなる撮影実行時間データ３６ｂ７、及び第２の自動撮影データとして記憶される際に行われた連続撮影回数を示すデータからなる第２の連続撮影回数データ３６ｂ８が記憶され、以下同様に撮影タイミング記憶数データ３６ｂ２の示す数の分だけ撮影実行画像番号データと撮影実行時間データ及び連続撮影回数データが記憶される。
【００２６】
以下、画像の撮影動作と再生動作の例にして上記構成各部の動作を説明する。まずは画像の撮影動作について説明する。電子カメラ１は電源キー２０の入力によって電源ＯＮ状態となり、キー入力部４１の動作モードキー８によって通常の撮影モード（注目撮影モードを区別する為に以後、通常撮影モードと称呼する。）に設定されると制御部３３によって静止画像や動画像の撮影及び記憶処理を行う通常撮影モードの処理プログラムが実行される。このとき、レンズ部１４は制御部３３によって制御されて、撮像部３１のＲＧＢカラーＣＣＤの受光面に被写体像を結像させる。そして、３０分の１秒などの周期間隔で制御部３３から画像取り込み信号の生成が指示され、撮像部３１で画像取り込み信号が生成されてＲＧＢカラーＣＣＤに与えられて受光面の被写体像は画像のアナログ電気信号に変換されて、更にデジタル電気信号からなるＲＧＢ画像信号に変換され、画像信号処理部３２へと送られる。画像信号処理部３２においてＲＧＢ画像信号は、輝度信号と色差信号からなる画像信号（以後、ＹＵＶ画像信号と称呼する。）へ変換され、更にホワイトバランス調整やガンマ補正などのデジタル画像信号処理が行われてＹＵＶ画像信号はワークメモリ３５に記憶される。
【００２７】
このようにワークメモリ３５に記憶された１画面分（１フレームと称呼する。）のＹＵＶ画像信号は第１表示部３９に送られ、制御部３３によって別に生成された絞り値やシャッタスピード等の撮影情報の表示画像と合成されて第１表示エリア７に表示される。そして、ワークメモリ３５に記憶された１フレームのＹＵＶ画像信号は前記３０分の１秒などの周期間隔で新たに撮像された次の１フレームのＹＵＶ画像信号に入れ替わる。この入れ替わりに同期して撮影情報と合成された動画像（ＲＥＣスルー動画像と称呼する。）が順次第１表示エリア７に表示され、撮影モードの撮影待機状態となる。また、ワークメモリ３５に記憶されたＹＵＶ画像信号からは輝度情報やホワイトバランス情報が抽出されて撮影処理における露出調整やホワイトバランスの自動調整などの制御に使用される。
【００２８】
そして、動画像の撮影モードで前記撮影待機状態からキー入力部４１のシャッタキー２１が入力されると、制御部３３によってレンズ部１４が制御されて自動露出調整やオートフォーカス処理が行われる。それとともに前述したＲＥＣスルー動画像のＹＵＶ画像信号データは１フレーム毎に画像圧縮伸張部３８に送られて、画像圧縮伸張部３８によってＪＰＥＧ（ｊｏｉｎｔ  ｐｈｏｔｏｇｒａｐｈｉｃ  ｅｘｐｅｒｔｓ  ｇｒｏｕｐ）形式などで圧縮符号化された画像データに変換され、順次１フレーム毎の圧縮符号化された画像データがワークメモリ３５に蓄積して記憶される。また、それと同時にマイク１９によって音声が電気信号に変換されて、音声入出力部４３によって圧縮符号化された音声データがワークメモリ３５に記憶される。そして、再度シャッタキー２１が入力されたとき動画像の撮影処理を終了させ、それまでに記憶されたすべてのフレームの画像データと音声データは１つの動画像ファイルとして再生に必要な情報が付加されてまとめられ、外部記憶媒体３７に転送されて動画像ファイルとして保存されて動画像の撮影処理が完了する。
【００２９】
一方、静止画像の通常撮影モードで前記撮影待機状態からキー入力部４１のシャッタキー２１が入力されると、制御部３３によってレンズ部１４が制御されて自動露出調整やオートフォーカス処理が行われる。ストロボ制御部４２によって必要に応じてストロボ１６の発光制御が行われ、それとともに制御部３３から撮像部３１に画像取り込み信号の生成が指示され、撮像部３１で画像取り込み信号が生成されてＲＧＢカラーＣＣＤに入力されることにより前記シャッタキー２１が入力されたタイミングを基にして被写体の撮影処理が行われる。撮像部３１と画像信号処理部３２を通じて得られたＹＵＶ画像信号はワークメモリ３５に記憶される。１フレーム分のすべてのＹＵＶ画像信号がワークメモリ３５に記憶されると、このＹＵＶ画像信号は画像圧縮伸張部３８に送られて、画像圧縮伸張部３８によってＪＰＥＧ形式などで圧縮符号化された画像データに変換される。そして、圧縮符号化された画像データは外部記憶媒体３７に転送されて画像ファイルとして保存されて静止画像の撮影処理が完了する。
【００３０】
次に画像の再生動作について説明する。電子カメラ１は電源キー２０の入力によって電源ＯＮ状態となり、キー入力部４１の動作モードキー８が「再生モード」に設定されると制御部３３によって再生モードの処理プログラムが実行され、記憶された静止画像及び動画像の再生表示を行う再生モードで動作する。まず、外部記憶媒体３７に記憶されている画像ファイルが画像ファイルに付けられた順序番号（例えば撮影順序の番号などからなる。）に従い、第１番目の画像ファイルがワークメモリ３５に圧縮符号化された画像データとして読み出される。ワークメモリ３５に記憶された圧縮符号化された画像データは、画像圧縮伸張部３８によって復号化及びデータ伸張されてＹＵＶ画像信号に変換される。変換されたＹＵＶ画像信号は第１表示部３９に送られて再生画像が第１表示エリア７に表示される。このときに十字操作レバーキー１０が下向きや上向きに操作されると前述したように下キー及び上キーの入力が検知される。下キーの入力で第２番目の画像ファイルに対して、一方、上キーの入力で最終番目の画像ファイルに対して、上述した再生処理と同様の処理が行われ、それぞれの画像が第１表示エリア７に表示される。
【００３１】
そして、通常撮影モード、注目撮影モード及び再生モードなどの各動作モードにおいて、ＭＥＮＵキー９が入力されると電子カメラ１の機能に関する各種設定が項目として一覧メニューが表示されるように制御が行われ、十字操作レバーキー１０の操作によって項目の選択と決定が行われることによってプログラムメモリエリア３４ａに予め記憶されている各種設定の処理プログラムが実行されるように制御される。尚、再生モードにおいて、ＭＥＮＵキー９が入力されて各種設定が項目として一覧メニューが表示される際に、この項目に表示エリアの切り替え設定を設けておき、再生モードで再生する画像の表示先を第１表示エリア７から第２表示エリア１７に変更したり、同時に両方の表示エリアに表示するように制御を行う処理プログラムをプログラムメモリエリア３４ａに予め記憶しておいてもよい。
【００３２】
次に電子カメラ１がＵＳＢインターフェイス端子１３を通じてパソコンなどのホスト装置に接続された際の動作について説明する。電子カメラ１が再生モードでＵＳＢインターフェイスで接続されると、ホスト装置側から見て、外部記憶媒体３７に画像ファイルを記憶する外部記憶装置のＵＳＢ周辺機器として動作する。よって、ホスト装置が備えたポインティングデバイスなどの入力手段からの指示によって、ホスト装置から電子カメラ１の外部記憶媒体３７に注目撮影モードなどで使用される画像ファイルの複写が行うことが可能となる。
【００３３】
前記のごとく動作する電子カメラ１において、注目撮影の各種設定及び撮影の詳細な動作についてフローチャートを参照して説明する。
【００３４】
図５は制御部３３によって処理される注目撮影設定の処理プログラムのフローチャートである。通常撮影モードや注目撮影モードにおいて、ＭＥＮＵキー９が入力されて各種設定の一覧メニューが表示された際に、十字操作レバーキー１０の操作によって注目撮影設定が選択されて設定開始が決定されると前記注目撮影設定の処理プログラムの実行が開始され、ステップＡ１１へと進む。
【００３５】
図９（Ａ）は、このステップＡ１１において第１表示エリア７に表示される注目撮影設定の設定名選択画面の表示例であり、この表示を例に、注目撮影設定の各画面で表示される第１表示エリア７内の各表示エリアの構成について説明を行う。第１表示エリアは、注目撮影設定の処理プログラムが実行されている状態であることを示す機能名エリア７Ａ、各画面での操作や画面の説明を表示する説明エリア７Ｂ、上から第１番目に位置する設定項目を表示する第１項目エリア７Ｃ、上から第２番目に位置する設定項目を表示する第２項目エリア７Ｄ、上から第３番目に位置する設定項目を表示する第３項目エリア７Ｅ、上から第４番目に位置する設定項目を表示する第４項目エリア７Ｆ、上から第５番目に位置する設定項目を表示する第５項目エリア７Ｇ、各画面でのキー操作を補助する説明としてキー入力の種類とそのキー入力に対する処理内容が「：」で結び付けられて表示される補助説明エリア７Ｈ及び選択されている設定項目を示すカーソルポインタ７Ｉで構成されている。
【００３６】
次に、注目撮影設定の各画面で表示される第１項目エリアから第５項目エリアまでの各項目エリアの選択操作に対する制御について説明を行う。キー入力部４１の十字操作レバーキー１０が上下方向にそれぞれ操作されると前述したように上キーと下キーがそれぞれキー入力される。例えば、下キーが入力されると制御部３３はカーソルポインタ７Ｉを１つ下の第２項目エリア７Ｄの左隣の位置に移動させる処理を行う。更に下キーが続けて入力されると制御部３３はカーソルポインタ７Ｉを第３項目エリア７Ｅの左隣の位置に移動させる処理を行う。上キーが入力された場合は逆に上方向の項目エリアへとカーソルポインタ７Ｉを移動させる処理を行う。よって、第１項目エリア７Ｃ、第２項目エリア７Ｄ、第３項目エリア７Ｅ、第４項目エリア７Ｆ及び第５項目エリア７Ｇに表示されたいずれの設定項目が選択されている状態であるかをカーソルポインタ７Ｉの表示位置で示すとともに上キーと下キーがキー入力されることによって設定項目の選択が行われる。
【００３７】
そして、図９（Ａ）が示す設定名選択画面の表示例では、機能名エリア７Ａに「注目撮影設定」が表示され、説明エリア７Ｂに「設定名を選択してください」が表示され、フラッシュメモリ３６の注目撮影設定データエリア３６ａに予め記憶されている１番目の設定名から「注目設定Ａ」という設定名が読み出されて第１項目エリア７Ｃに「注目設定Ａ」が表示され、以下同様に、２番目の設定名から「注目設定Ｂ」という設定名がが読み出されて第２項目エリア７Ｄに「注目設定Ｂ」が表示され、３番目の設定名が読み出されて第３項目エリア７Ｅに「注目設定Ｃ」が表示され、４番目の設定名が読み出されて第４項目エリア７Ｆに「注目設定Ｄ」が表示され、５番目の設定名が読み出されて第５項目エリア７Ｇに「注目設定Ｅ」が表示され、補助説明エリア７ＨにＭＥＮＵキー９のキー入力が注目撮影設定の処理プログラムの実行をキャンセル終了させることを示す「ＭＥＮＵキー：終了」が表示され、選択されている項目を示すカーソルポインタ７Ｉが第１項目エリア７Ｃの左隣に表示される。
【００３８】
このように、ステップＡ１１では予め登録されている注目撮影設定の設定名の一覧が表示されて、上キー、下キー、決定キー及びＭＥＮＵキー９のキー入力を待つ状態となる。このステップＡ１１で「注目設定Ａ」が選択されて、キー入力部４１の十字操作レバーキー１０の中心部が押されると前述したように決定キーがキー入力される。この決定キーの入力によって注目撮影設定を行う設定名が決定されて、次のステップＡ１２へと進む。
【００３９】
そして、ステップＡ１２では図９（Ｂ）の示すように注目撮影設定の基本設定画面が表示される。図９（Ｂ）の表示例は注目撮影設定の基本設定画面の初期状態を示しており、説明エリア７Ｂに「基本設定」が表示され、第１項目エリア７Ｃに注目撮影モードで第１表示エリア７と第２表示エリア１７に表示される注目画像の表示開始時間の差を示す項目名と設定値として「表示の時間差：３．０秒」が表示され、第２項目エリア７Ｄに注目撮影モードでスピーカから再生される音声の大きさを示す項目名と設定値として「音声レベル：中」が表示され、第３項目エリア７Ｅに第１表示エリア７に注目画像が表示されてから第２表示エリア１７に同じ注目画像が表示されるまでの間の時間報知の方法を示す項目名と報知方法として「表示切替報知：カウント表示」が表示され、第４項目エリア７Ｆに自動撮影を行う動作モードかどうかを示す項目名と設定状態として「自動撮影モード：ＯＮ」が表示され、第５項目エリア７Ｇに注目画像の表示を開始する時間及び開始を指示するキー入力を示す項目名と設定状態として「注目表示開始：決定キー」が表示され、補助説明エリア７Ｈに左キーと右キーの入力が設定内容の選択処理を行わせることを示す「左右キー：内容選択」と決定キー入力が設定入力を確定させることを示す「決定キー：確定」がそれぞれ表示され、選択されている項目を示すカーソルポインタ７Ｉが第１項目エリア７Ｃの左隣に表示される。上キーと下キーが入力されることに対するカーソルポインタ７Ｉを移動させる制御は、ステップＡ１１の設定名選択画面で前述した処理と同様であり、上キーが入力されると１つ上に表示された項目エリアへとカーソルポインタ７Ｉを移動させ、下キーが入力されると１つ下に表示された項目エリアへとカーソルポインタ７Ｉを移動させる制御が行われる。
【００４０】
次に、ステップＡ１２での各設定項目の設定内容の変更操作とその操作に対する制御について説明する。図９（Ｂ）の表示のようにカーソルポインタ７Ｉが第１項目エリアの「表示の時間差」の左隣に表示され、「表示の時間差」が設定内容の変更を行う設定項目として選択されているとき、キー入力部４１の十字操作レバーキー１０が左右方向にそれぞれ操作されると前述したように左キーと右キーがそれぞれキー入力される。例えば、左キーが入力されると制御部３３は設定されている数値を最小単位で１カウントダウンさせて「３．０秒」から「２．９秒」に設定値が変更される。更に下キーが続けて入力されると「２．９秒」を「２．８秒」に１つカウントダウンさせる処理が行われる。右キーが入力された場合は逆に１つカウントアップさせる処理が行われる。例えば、表示開始時間の差の設定範囲を０．１秒から５．０秒という範囲に規定することで規定された範囲で設定値の変更が行われる。
【００４１】
ここで、下キーが入力されて第２項目エリアの「音声レベル」が設定内容の変更を行う設定項目として選択されたときは、その設定値として「無し、最小、小、中、大、最大」からなる６段階の設定値が用意され、前記の選択操作と同様に左キーの入力によって「中」から「小」、更に左キーの入力によって「小」から「最小」へと「音声レベル」の設定値が変更される。右キーが入力されたときは逆に音声レベルが１段階大きくなる方に設定値が変更される。更に、下キーが入力されて第３項目エリアの「表示切替報知」が設定内容の変更を行う設定項目として選択されたときは、その設定値として「無し、カウント表示」からなる２つの設定値が用意され、前記の選択操作と同様に左キーと右キーが入力されることによって設定値が変更される。更に、下キーが入力されて第４項目エリアの「自動撮影モード」が設定内容の変更を行う設定項目として選択されたときは、その設定値として「ＯＦＦ、ＯＮ」からなる２つの設定値が用意され、前記の選択操作と同様に左キーと右キーが入力されることによって設定値が変更される。更に、下キーが入力されて第５項目エリアの「注目表示開始」が設定内容の変更を行う設定項目として選択されたときは、その設定値として「決定キー、０秒、１秒、２秒、３秒、５秒」からなる６つの設定値が用意され、前記の選択操作と同様に左キーと右キーが入力されることによって設定値が変更される。
【００４２】
このように、ステップＡ１２では上キーと下キーが入力されることによって設定値の変更を行う設定項目が選択されて、左キーと右キーが入力にされることによって各設定項目の設定値が選択される。そして、各設定項目の設定値の変更が完了した後に、決定キーがキー入力されると、決定されたそれぞれの設定値は注目撮影設定データエリア３６ａの設定名が一致する注目撮影設定データの表示時間差データ３６ａ２に「３．０秒」、音声レベルデータ３６ａ３に「中」、表示切替報知方法データ３６ａ４に「カウント表示」、自動撮影モードフラグデータ３６ａ５に「ＯＮ」及び、表示開始時間データ３６ａ７に「決定キー」というように、それぞれの設定値が記憶されてステップＡ１３へと進む。
【００４３】
そして、ステップＡ１３では図９（Ｃ）の示すように注目撮影モードで表示される注目画像の選択画面が表示される。図９（Ｃ）の表示例は注目撮影設定の注目画像の選択画面の１例を示しており、説明エリア７Ｂに「画像を選択して決定キーを押してください」が表示され、第１項目エリア７Ｃにプログラムメモリ３４のデータエリア３４ｂに予め記憶されている１番目の画像ファイルから「静止画像Ａ」というファイル名とこのファイルが存在する場所を示すパス名として「内蔵」が読み出されて第１項目エリア７Ｃに「静止画像Ａ」と「内蔵」が表示され、以下同様に、２番目の画像ファイルからファイル名「静止画像Ｂ」とパス名「内蔵」が読み出されて第２項目エリア７Ｄに「静止画像Ｂ」と「内蔵」が表示され、３番目のファイル名「静止画像Ｃ」とパス名「内蔵」が読み出されて第３項目エリア７Ｅに「静止画像Ｃ」と「内蔵」が表示され、４番目のファイル名「動画像Ｄ」とパス名「内蔵」が読み出されて第４項目エリア７Ｆに「動画像Ｄ」と「内蔵」が表示され、外部記憶媒体３７の画像ファイルに対して予め注目画像データとして使用するように登録された画像のファイル名「音声付動画像Ｅ」とパス名「カード」が読み出されて第５項目エリア７Ｇに「音声付動画像Ｅ」と「カード」が表示され、補助説明エリア７ＨにＭＥＮＵキー９のキー入力が注目撮影設定の処理プログラムの実行をこのステップＡ１３で途中終了させることを示す「ＭＥＮＵキー：終了」が表示され、選択されている項目を示すカーソルポインタ７Ｉが第１項目エリア７Ｃの左隣に表示される。
【００４４】
このように、ステップＡ１３では予め記憶されている注目画像の選択画面の一覧が表示されて、上キー、下キー、決定キー及びＭＥＮＵキー９のキー入力を待つ状態となる。ステップＡ１３で第４項目エリア７Ｆの「動画像Ｄ」と「内蔵」が選択されて決定キーが入力された場合は、前記ステップＡ１１で選択された設定名に一致する注目設定データの注目画像数データ３６ａ６が１つカウントアップされて、決定されたパス名とファイル名は第１のパス名データ３６ａ８として「内蔵」、第１のファイル名データ３６ａ９として「動画像Ｄ」がそれぞれ記憶されて、ステップＡ１４へと進み、ステップＡ１４ではＭＥＮＵキー９が押されたかどうか判断される。決定キーが入力された場合はステップＡ１４でＮｏと判断されてステップＡ１５へと進む。一方、ステップＡ１３においてＭＥＮＵキーが押された場合はステップＡ１４へと進み、ＭＥＮＵキー９が押されたかどうか判断され、ステップＡ１４でＹｅｓと判断されて注目撮影設定の処理プログラムの実行を終了して、設定を開始する前の状態である通常撮影モードまたは注目撮影モードの状態に戻る。
【００４５】
そして、ステップＡ１５では図１０（Ａ）の示すようにステップＡ１３で選択された注目画像の表示時間の設定画面が表示される。説明エリア７Ｂに「ファイル名：動画像Ｄ」が表示され、第１項目エリア７Ｃに注目撮影モードで第１表示エリア７と第２表示エリア１７に表示される注目画像の表示時間を示す項目名と設定値として「表示時間：８秒」が表示され、補助説明エリア７Ｈに左キーと右キーの入力が設定内容の選択処理を行わせることを示す「左右キー：内容選択」と決定キー入力が表示時間の設定を確定させることを示す「決定キー：確定」がそれぞれ表示され、選択されている項目を示すカーソルポインタ７Ｉが第１項目エリア７Ｃの左隣に表示される。左キーと右キーの入力に対して設定値をカウントアップ及びカウントダウンさせる制御は、ステップＡ１２の基本設定画面で前述した処理と同様であり、左キーが入力されると設定値が１つカウントダウンさせ、右キーが入力されると設定値が１つカウントアップさせる制御が行われる。
【００４６】
このように、ステップＡ１５では表示時間の設定画面が表示されて、左キー、右キー及び決定キーのキー入力を待つ状態となる。このステップＡ１５で表示時間が８秒に選択されて決定キーが入力にされると、決定された表示時間は注目撮影設定データエリア３６ａの設定名が一致する注目撮影設定データの第１の表示時間データ３６ａ１０として「８秒」という設定値が記憶されて、ステップＡ１６へと進む。
【００４７】
そして、ステップＡ１６では、説明エリア７Ｂに「注目画像の追加は決定キーを押す」が表示され、前記ステップＡ１１で選択された設定名に一致する注目撮影設定データとして記憶されている第１のパス名データ３６ａ８、第１のファイル名データ３６ａ９から注目画像数データ３６ａ６が示す番号までのパス名とファイル名がそれぞれ読み出されて、１番目から５番目までが第１項目エリア７Ｃから第５項目エリア７Ｇまで順に表示される。カーソルポインタ７Ｉが第５項目エリアに位置する際に下キーが入力されると６番目から１０番目までのパス名とファイル名が第１項目エリア７Ｃから第５項目エリア７Ｇに切替表示されるように制御される。また、逆に６番目から１０番目までのパス名とファイル名が第１項目エリア７Ｃから第５項目エリア７Ｇに表示されていてカーソルポインタ７Ｉが第１項目エリアに位置している際に上キーが入力されると１番目から５番目までのパス名とファイル名が第１項目エリア７Ｃから第５項目エリア７Ｇに切替表示されるように制御される。
【００４８】
図１０（Ｂ）は１つのパス名とファイル名が設定されている状態を示し、第１項目エリア７Ｃに表示される注目画像として設定された画像ファイル名である「動画像Ｄ」と所在場所を示すパス名である「内蔵」がそれぞれ表示され、その左側に注目画像を表示する順序として「動画像Ｄ」に割り振られた画像番号を示す「１」と表示の区切り文字「：」が表示され、補助説明エリア７ＨにＭＥＮＵキー９のキー入力が注目撮影設定の処理プログラムの実行をこのステップＡ１６で終了させることを示す「ＭＥＮＵキー：終了」が表示される。
【００４９】
このように、ステップＡ１６では注目撮影設定の処理プログラムの実行によって記憶された注目画像の表示順序を示す画像番号が割り振られたファイル名とパス名が画像番号とともに一覧で表示されて、決定キー及びＭＥＮＵキー９のキー入力を待つ状態となる。ステップＡ１６においてＭＥＮＵキーが押された場合は、ＭＥＮＵキー９が押されたかどうか判断を行うステップＡ１７へと進み、ステップＡ１７でＹｅｓと判断されて注目撮影設定の処理プログラムの実行を終了して、設定を開始する前の状態である通常撮影モードまたは注目撮影モードの状態に戻る。一方、ステップＡ１６において決定キーが押された場合は、ＭＥＮＵキー９が押されたかどうか判断を行うステップＡ１７へと進み、ステップＡ１７でＮｏと判断されて注目撮影設定の処理プログラムの実行を継続してステップＡ１３へと進む。
【００５０】
これ以降の処理は上記で説明したステップＡ１３からステップＡ１７の処理の繰り返しとなるので説明を省略する。そして、図１０（Ｃ）は上記の処理を３回繰り返すことによって３つの注目画像が設定されてステップＡ１６で一覧表示された状態を示し、割り振られた画像番号、区切り文字、注目画像のファイル名及びパス名として第１項目エリア７Ｃに「１」「：」「動画像Ｄ」「内蔵」が表示され、第２項目エリア７Ｄに「２」「：」「静止画像Ａ」「内蔵」が表示され、第３項目エリア７Ｅに「３」「：」「音声付動画像Ｅ」「カード」が表示され、補助説明エリア７ＨにＭＥＮＵキー９のキー入力が注目撮影設定の処理プログラムの実行をこのステップＡ１６で終了させることを示す「ＭＥＮＵキー：終了」が表示される。このように注目撮影設定が行われてステップＡ１６においてＭＥＮＵキーが押されてステップＡ１７へと進み、ステップＡ１７でＹｅｓと判断されて注目撮影設定の処理プログラムの実行を終了したものとして、以降の注目撮影モードの動作について説明を行う。
【００５１】
図６は制御部３３によって処理される注目撮影モードの処理プログラムのフローチャートであり、図７は画像表示を行う画像表示サブルーチンのフローチャートであり、図８は撮影処理を行う撮影処理サブルーチンのフローチャートである。動作モードキー８が注目撮影モードに設定されることによって注目撮影モードが選択されると注目撮影モードの処理プログラムの実行が開始され、ステップＢ１１へと進む。ステップＢ１１では、図１１の示すように注目撮影設定データエリア３６ａに記憶された複数の注目撮影設定データの設定名が読み出されて設定選択画面が表示される。この設定選択画面では、機能名エリア７Ａに「注目撮影モード」が表示され、説明エリア７Ｂに「使用する設定を選択してください」が表示され、注目撮影設定データエリア３６ａに記憶されている１番目の注目撮影設定データの設定名データ３６ａ１から「注目設定Ａ」が読み出されて第１項目エリア７Ｃに「注目設定Ａ」が表示され、以下同様に、２番目の注目撮影設定データから「注目設定Ｂ」という設定名がが読み出されて第２項目エリア７Ｄに「注目設定Ｂ」が表示され、３番目の注目撮影設定データから「注目設定Ｃ」という設定名が読み出されて第３項目エリア７Ｅに「注目設定Ｃ」が表示され、４番目の注目撮影設定データから「注目設定Ｄ」という設定名が読み出されて第４項目エリア７Ｆに「注目設定Ｄ」が表示され、５番目の注目撮影設定データから「注目設定Ｅ」という設定名が読み出されて第５項目エリア７Ｇに「注目設定Ｅ」が表示され、選択されている設定を示すカーソルポインタ７Ｉが第１項目エリア７Ｃの左隣に表示される。
【００５２】
このように、ステップＢ１１では登録されている注目撮影設定の設定名の一覧が表示されて、上キー、下キー、決定キーのキー入力を待つ状態となる。このステップＢ１１で「注目設定Ａ」が選択されて決定キーが入力されることによって注目撮影モードで使用される設定が決定されて、ステップＢ１２へと進み、注目撮影設定データエリア３６ａの設定名の一致する注目撮影設定データから表示開始時間の設定値が読み込まれて設定値がチェックされる。設定値として時間が設定されている場合はＴＣをリセットして時間のカウントを開始し、設定値の時間とＴＣの時間が一致したところでステップＢ１３へと進む。一方、表示開始時間の設定値が「決定キー」に設定されている場合はステップＢ１２において決定キーの入力待ちが行われて決定キーが入力されることによってステップＢ１３へと進み、ステップＢ１３では、仮想の０（ゼロ）番目の画像番号に対応する表示時間として０（ゼロ）秒を設定し、ワークメモリ３５に割り当てられたＮの初期値として１が代入され、ＴＣはゼロにリセットされてステップＢ１４へと進む。
【００５３】
ステップＢ１４では、自動撮影モードフラグデータ３６ａ５の設定値が読み込まれて自動撮影モードがＯＮかどうかが判断され、ＯＮの場合はステップＢ１４でＹｅｓと判断されてステップＢ１５に進む。一方、自動撮影モードがＯＦＦの場合はステップＢ１４でＮｏと判断されてステップＢ１６に進む。「注目設定Ａ」では自動撮影モードがＯＮに設定されているとして説明を行い、ステップＢ１５に進む。ステップＢ１５では詳細を後述するが、自動撮影データエリア３６ｂに記憶される自動撮影データを基に自動撮影を実行するタイミングかどうかの判断が行われ、自動撮影を実行するタイミングに一致するのであればステップＢ１５でＹｅｓと判断されてステップＢ２０へと進み、自動撮影を実行するタイミングに一致しなければステップＢ１５でＮｏと判断されてステップＢ１６に進む。まずは自動撮影タイミングに一致しないタイミングとして説明し、ステップＢ１６へと進む。ステップＢ１６ではシャッタが押されているかどうかの判断が行われ、シャッタが押されていればステップＢ１６でＹｅｓと判断されてステップＢ１９へと進み、シャッタが押されていなければステップＢ１７へと進む。まずはシャッタが押されていなかったものとして説明し、ステップＢ１７へと進む。
【００５４】
図７はステップＢ１７の画像表示サブルーチンのフローチャートを示す。画像表示サブルーチンは実行タイミングが３０分の１秒などのインターバルタイマによって制御され、ステップＣ１１において表示の更新を行うかどうかが判断される。画面表示の更新を実行しないタイミングであれば、ステップＣ１１でＮｏと判断されて画面表示サブルーチンを終了してステップＢ１８へと進み、画面表示の更新を実行するタイミングであれば、ステップＣ１１でＹｅｓと判断されて次のステップＣ１２へと進む。画面表示の更新を実行するタイミングであるとして説明し、ステップＣ１２へと進む。
【００５５】
そして、ステップＣ１２では前述の撮影モードの動作で説明したように被写体像がレンズ部１４を通して撮像部３１によって取り込まれて画像信号処理部３２によって処理されたＲＥＣスルー画像がワークメモリ３５に記憶されてステップＣ１３に進み、ステップＣ１３ではＴＣでカウントされた経過時間と、注目撮影設定データのＮ−１番目の注目画像の表示時間データが比較されて判断される。経過時間がＮ−１番目の注目画像の表示時間以上になっている場合はステップＣ１３でＹｅｓと判断されてステップＣ１４へと進む。経過時間がＮ−１番目の注目画像の表示時間に満たない場合はステップＣ１３でＮｏと判断されてステップＣ１５へと進む。まず、最初の状態ではＮ＝１なのでＮ−１番目は０番目の画像番号となり、ステップＢ１３で設定された仮想の０番目の画像番号に対応する表示時間０秒と比較されてＴＣ＞＝０からＹｅｓと判断されて、ステップＣ１４へと進む。
【００５６】
ステップＣ１４ではＴＣがゼロにリセットされて、設定名「注目設定Ａ」に一致する注目撮影設定データエリア３６ａに記憶された注目撮影設定データのＮ番目のパス名データ、Ｎ番目のファイル名データ及びＮ番目の表示時間データが読み出される。まずはＮ＝１ということから１番目の注目画像に関するデータが読み出される。つまり、この動作例では前述したように設定名「注目設定Ａ」の第１のパス名データ３６ａ８から「内蔵」、第１のファイル名データ３６ａ９から「動画像Ｄ」及び第１の表示時間データ３６ａ１０から「８秒」が読み出されてステップＣ１５へと進む。ステップＣ１５では注目撮影設定データの表示切替報知方法データ３６ａ４が読み出され、カウント表示を行うかどうかが判断される。記憶されている表示切替報知方法データ３６ａ４が「カウント表示」であればステップＣ１５でＹｅｓと判断されてステップＣ１６へと進み、記憶されている表示切替報知方法データ３６ａ４が「カウント無し」であればステップＣ１５でＮｏと判断されてステップＣ１７へと進む。この動作例では「注目設定Ａ」の表示切替報知方法データ３６ａ４から「カウント表示」が読み出されてステップＣ１６へと進む。
【００５７】
ステップＣ１６では第１表示エリア７に表示する情報の１つとして、第２表示エリア１７に第１表示エリア７と同じ注目画像が表示されるまでの残り時間として（残り時間＝表示の時間差−ＴＣ）が計算されて、計算された残り時間は文字フォントデータからなるカウント表示の画像データに変換され、ワークメモリ３５に記憶されてステップＣ１７へと進む。ステップＣ１７では、撮影に際して第１表示エリア７の一部に表示されるシャッタ速度や絞り値など撮影に関する情報がアイコンや文字フォントデータからなる撮影情報の画像データに変換されてワークメモリ３５に記憶され、これらカウント表示の画像及び撮影情報の画像はそれぞれＲＥＣスルー画像に合成されて、合成されたＲＥＣスルー画像は第１表示エリア７に表示されてステップＣ１８に進む。
【００５８】
ステップＣ１８ではＴＣによってカウントされた経過時間と表示の時間差データ３６ａ２が比較されて判断される。経過時間と表示の時間差が異なる場合はステップＣ１８でＮｏと判断されてステップＣ１９へと進む。ステップＣ１９では、第２表示エリア１７に画像番号がＮ−１と一致する注目画像の表示が行われ、画像表示サブルーチンの処理を終了してステップＢ１８へと進む。尚、表示される注目画像が動画像の場合は、このステップＣ１８において前述した３０分の１秒という表示画面更新タイミングで順序付けられた動画像のフレームが順次表示される。
【００５９】
この動作例ではステップＣ１８で「注目設定Ａ」の表示の時間差データ３６ａ２から「３．０秒」が読み出される。第１番目の注目画像が表示されてからの経過時間が表示の時間差に満たないとするとステップＣ１８でＮｏと判断されてステップＣ１９に進み、ステップＣ１９では第２表示エリア１７に画像番号がＮ−１と一致する注目画像が表示される。しかし、注目撮影モードの処理を開始した直後はＮ＝１であり、このときはＮ−１＝０（ゼロ）となるが、この場合は相当する画像番号の注目画像はワークメモリ３５にも存在しないので画像表示は行わないで、画像表示サブルーチンの処理を終了してステップＢ１８へと進む。
【００６０】
一方、ステップＣ１８において、経過時間と表示の時間差が等しい場合はステップＣ１８でＹｅｓと判断されてステップＣ２０へと進む。ステップＣ２０では、第２表示エリア１７にステップＣ１４で読み込まれたＮ番目の注目画像が表示されて、ステップＣ２１に進む。ステップＣ２１ではＮ番目の注目画像の画像ファイルの中に音声データが存在するかどうかが判断される。画像ファイルの中に音声データが存在しない場合はステップＣ２１でＮｏと判断されてステップＣ２３へと進む。一方、音声データが存在する場合はステップＣ２１でＹｅｓと判断されてステップＣ２２へと進み、ステップＣ２２では画像ファイルの中から音声データが読み出されてワークメモリ３５に記憶され、音声入出力部４３に音声を再生する命令が送られる。録音再生制御部を備える音声入出力部４３は、割り込み制御などによってワークメモリ３５から音声データを読み出しながら再生処理の制御を行う。このように音声データが存在する場合はステップＣ２２で音声入出力部４３に音声再生の命令が出力が行われてステップＣ２３へと進む。
【００６１】
ステップＣ２３では、現在表示している注目画像の画像番号を示すワークメモリ３５のＮの値と注目撮影設定データエリア３６ａの注目画像数データ３６ａ６が比較されてＮ＋１番目の注目画像が存在するかどうかが判断される。Ｎの値が画像数に満たない場合はステップＣ２３でＹｅｓと判断されてステップＣ２４へと進み、ステップＣ２４ではＮの値が１つカウントアップされて画像表示サブルーチンの処理を終了してステップＢ１８へと進む。
一方、Ｎの値と画像数が等しい場合はステップＣ２３でＮｏと判断されてステップＣ２５へと進み、ステップＣ２５では注目画像の表示処理を１番目の注目画像から繰り返して行うために現在表示しているＮ番目の注目画像データを０番目の注目画像データとしてワークメモリ３５に記憶してから、Ｎの値に１が代入されて画像表示サブルーチンを終了してステップＢ１８へと進む。
【００６２】
図６の注目撮影モードのフローチャートのステップＢ１８では、電子カメラ１の動作を終了させる電源キー２０や再生モードなどに動作モードキー８が設定されるなどの注目撮影モードを終了させるキー入力が行われたかどうかが判断され、注目撮影モードを終了させるキー入力が行われた場合はステップＢ１８でＹｅｓと判断されて注目撮影モードの処理プログラムの実行は終了する。一方、注目撮影モードを終了させるキー入力が行われなかった場合はステップＢ１８でＮｏと判断されてステップＢ１４へと進み、撮影操作が行われなければ、前述した画像表示サブルーチンの処理が繰り返し実行されて注目画像の表示が進められていく。
【００６３】
この動作例においては、Ｎ＝１で経過時間を示すＴＣが３．０秒の状態でステップＣ１８に処理が進んでくるとＴＣと表示の時間差「３．０秒」が等しいので、ステップＣ１８でＹｅｓと判断されてステップＣ２０に進み、第２表示エリア１７にステップＣ１４で読み込まれたＮの値が示す１番目の注目画像「動画像Ｄ」が表示されて、音声データがないのでステップＣ２１でＮｏと判断されてステップＣ２３に進み、Ｎの値「１」と注目画像数データ３６ａ６の設定値「３」が比較されてＮ＜３なので、ステップＣ２３でＹｅｓと判断されてステップＣ２４へと進み、Ｎの値が１つカウントアップされてＮ＝２となり、画像表示サブルーチンの処理を終了してステップＢ１８へと進む。そして、Ｎ＝２の状態で、再度ステップＣ１９へと処理が進んでくるとＮ−１＝２−１＝１であり、これに相当する以前と同じ１番目の注目画像が引き続いて第２表示エリア１７に表示される。つまりは、第２表示エリア１７に対してステップＤ２０において新しい注目画像の表示が行われ、ステップＤ１９においてこの注目画像の継続表示が行われる。
【００６４】
そして、Ｎ＝３、かつ、ＴＣ＜３．０の状態でステップＣ１８に処理が進んできた場合も同様にＮｏと判断されてステップＤ１９で２番目の注目画像「静止画像Ａ」が第２表示エリア１７に表示され、その後にＮ＝３、かつ、ＴＣ＝３．０の状態でステップＣ１８に処理が進んでくるとＹｅｓと判断されてステップＤ２０に進み、第２表示エリア１７にＮ＝３が示す３番目の注目画像「音声付動画像Ｅ」が表示されて、音声データがあるのでステップＣ２１でＹｅｓと判断されてステップＣ２３に進み、Ｎの値「３」と注目画像数データ３６ａ６の設定値「３」が比較されてＮ＝３なので、ステップＣ２３でＮｏと判断されてステップＣ２５へと進み、ステップＣ２５では現在表示している３番目の注目画像データを０番目の注目画像データとしてワークメモリ３５に記憶してから、Ｎの値に１が代入されてＮ＝１となり、画像表示サブルーチンの処理を終了してステップＢ１８へと進む。そして、Ｎ＝１の状態で、再度ステップＣ１８へと処理が進んでくるとＮ−１＝１−１＝０であり、これに相当する０番目画像としてワークメモリ３５に記憶された以前と同じ３番目の注目画像が引き続いて第２表示エリア１７に表示される。
【００６５】
このようにして、この動作例においてはＮ＝１からＮ＝３までの注目画像が第１表示エリア７及び第２表示エリア１７に繰り返し表示される。図１２は、この動作例の注目撮影モードにおける第１表示エリア７及び第２表示エリア１７の画像表示状態を示すタイムチャート図である。決定キーが入力されたタイミングをｘとすると、第１表示エリア７の画像表示タイムチャート６１が示すようにｘをスタート時刻として第１表示エリア７の一部に第１の注目画像「動画像Ｄ」の表示が行われるとともに表示の時間差が「３．０秒」に設定された第２表示エリア１７への表示開始の残り時間がカウント表示される。第２表示エリア１７に第１の注目画像が表示されたところでカウント表示が終了し、第１の注目画像は表示開始されてから８秒間表示されたところで第２の注目画像「静止画像Ａ」への表示の切替が行われるとともに前述した同様のカウント表示が行われ、６秒間表示されたところで第３の注目画像「音声付動画像Ｅ」への表示の切替が行われるとともに前述した同様のカウント表示が行われ、１２秒間表示されたところで第１の注目画像「動画像Ｄ」が表示され、後は第１から第３の注目画像が繰り返して表示される。第２表示エリア１７の画像表示タイムチャート６２が示すように、第２表示エリア１７に表示される注目画像の状態変化は第１表示エリア７の状態変化に対して表示の時間差「３．０秒」だけ遅れている。そして音声付動画の表示に際しては、スピーカの音声再生のタイムチャート６３が示すように音声が第２表示エリア１７の注目画像の表示と同時に再生される。
【００６６】
続いて、撮影操作が行われたときの処理について説明する。前述したようにステップＢ１４でＹｅｓ、ステップＢ１５でＮｏと判断されてステップＢ１６へと進み、シャッタキー２１が押されてステップＢ１６でＹｅｓと判断されるとステップＢ１９へと進み、シャッタキー２１が押されたタイミングを第１の撮影実行データとして、注目撮影モードのステップＢ１１で選択された設定名が対応する設定名データ３６ｂ１として、シャッタキー２１が押されたときに第２表示エリア１７に表示している注目画像の画像番号が第１の撮影実行画像番号データ３６ｂ３として、第２表示エリア１７に表示を開始してからの経過時間が第１の撮影実行時間データ３６ｂ４として、それぞれ記憶されて撮影タイミング記憶数データ３６ｂ２が１つカウントアップされてステップＢ２０へと進む。
【００６７】
図８はステップＢ２０の撮影処理サブルーチンのフローチャートを示す。ステップＤ１１では撮影モードが動画像と静止画像のどちらかということが判断されて、動画像の撮影モードの場合にはステップＤ１１でＹｅｓと判断されてステップＤ１２へと進み、ステップＤ１２では動画像の撮影モードの動作説明で前述したようにレンズ部１４を通じて撮像部３１によって動画像の取り込みが行われ、すべてのフレームの動画像データ及び録音された音声データがワークメモリ３５に一時記憶されて動画像の撮影実行時に再度シャッタキー２１が入力されると撮影が終了し、ステップＤ２１へと進み、ワークメモリ３５に一時記憶された動画像データ及び音声データは動画像ファイルにまとめられて記憶され、撮影処理サブルーチンの実行を終了してステップＢ１４へと進む。
【００６８】
一方、ステップＤ１１において、静止画像の撮影モードの場合にはステップＤ１１でＮｏと判断されてステップＤ１３へと進み、ステップＤ１３では静止画像の撮影モードの動作説明で前述したようにレンズ部１４を通して撮像部３１によって静止画像の取り込まれてワークメモリ３５に静止画像の画像データが一時記憶されてステップＤ１４へと進む。
【００６９】
ステップＤ１４では連続撮影モードに設定されているかどうかが判断されて、連続撮影モードに設定されていない場合はステップＤ１４でＮｏと判断されてステップＤ２１へと進み、ステップＤ２１ではワークメモリ３５に一時記憶された静止画像の画像データは外部記憶媒体３７に画像ファイルとして記憶されて撮影処理サブルーチンの実行を終了してステップＢ１４へと進む。
【００７０】
一方、連続撮影モードに設定されている場合はステップＤ１４でＹｅｓと判断されてステップＤ１５へと進み、ステップＤ１５では連続撮影の行った回数をカウントするとともに予め設定された撮影間隔あけるためのウエイト処理が実行されてからステップＤ１６へと進み、ステップＤ１６では自動連続撮影の処理が行われているかどうか判断される。この動作例では、シャッタキー２１が押されたときの動作を説明しているので自動連続撮影の処理では無くステップＤ１６でＮｏと判断されてステップＤ１８へと進む。
【００７１】
そして、ステップＤ１８ではシャッタキー２１が押されているかどうかが判断されて、シャッタキー２１が押されている場合はステップＤ１８でＹｅｓと判断されてステップＤ１３へと進み、連続撮影による静止画像の撮影処理が実行され、前述と同様にステップＤ１４からステップＤ１５へ、ステップＤ１５からステップＤ１６へ、ステップＤ１６からステップＤ１８へと進み、ステップＤ１８で再度シャッタキー２１が押されているかどうかが判断される。ここでシャッタキー２１が押されていない場合はステップＤ１８でＮｏと判断されてステップＤ１９へと進み、ステップＤ１９では連続撮影処理の実行された回数が自動撮影データエリア３６ｂに第１の連続撮影回数データ３６ｂ５として記憶されてステップＤ２１へと進み、ステップＤ２１では、ワークメモリ３５に一時記憶された複数の静止画像の画像データは外部記憶媒体３７にそれぞれ複数の画像ファイルとして記憶されて、撮影処理サブルーチンの処理を終了してステップＢ１４へと進む。これで、シャッタキー２１が押されたときの撮影処理は終了して撮影待機状態に戻る。
【００７２】
続いて、自動撮影動作が行われる際の処理について説明する。ステップＢ１４でＹｅｓと判断されてステップＢ１５に進み、ステップＢ１５で自動撮影データエリア３６ｂに記憶されている自動撮影データが検索されてシャッタキー２１が押されたときに対して表示画像と表示経過時間の両方が一致する自動撮影データが記憶されている場合には一致した自動撮影データから連続撮影回数が読み出されるとともにＹｅｓと判断されて、撮影処理サブルーチンであるステップＢ２０へと進み、撮影処理サブルーチンのステップＤ１１で、この動作例では撮影モードは静止画像なので、ステップＤ１１でＮｏと判断されてステップＤ１３へと進み、ステップＤ１３では静止画像の取り込まれてワークメモリ３５に静止画像の画像データが一時記憶されてステップＤ１４へと進む。
【００７３】
この動作例では連続撮影モードなのでステップＤ１４ではＹｅｓと判断されてステップＤ１５へと進み、ステップＤ１５では連続撮影を行った回数をカウントするとともにウエイト処理が実行されてからステップＤ１６へと進み、ステップＤ１６では自動連続撮影の処理が行われているかどうか判断される。この動作例では、自動連続撮影のときの動作を説明しているのでステップＤ１６でＹｅｓと判断されてステップＤ１７へと進む。ステップＤ１７ではステップＢ１５で読み出された連続撮影回数とステップＤ１５でカウントされた連続撮影を行った回数が比較されて、回数が一致しなければステップＤ１７でＮｏと判断されてステップＤ１３へと進み、連続撮影による静止画像の撮影処理が実行され、前述と同様にステップＤ１４からステップＤ１５へ、ステップＤ１５からステップＤ１６へ、ステップＤ１６からステップＤ１７へと進み、ステップＤ１７で再度連続撮影回数の一致するかどうか判断されて回数が一致したところでＹｅｓと判断されてステップＤ２１に進み、ステップＤ２１ではワークメモリ３５に一時記憶された複数の静止画像の画像データは外部記憶媒体３７にそれぞれ複数の画像ファイルとして記憶されて、撮影処理サブルーチンの処理を終了してステップＢ１４へと進む。これで、自動撮影の動作による撮影処理は終了して撮影待機状態に戻る。この動作を図１２の第２表示エリア１７の画像表示タイムチャート６２で説明する。自動撮影モードがＯＮのとき、例えば１番目の注目画像「動画像Ｄ」が第２表示エリア１７に表示開始されるｙ１から０．５秒後のｚ１でシャッタキー２１の入力による撮影が行われると、そのシャッタタイミングが記憶されて第２表示エリア１７の注目画像の表示が一周し、再度「動画像Ｄ」が表示されたときに「動画像Ｄ」が表示開始されるｙ４から０．５秒後のｚ２でシャッタキー２１の入力なしに自動的に撮影処理が行われる。
【００７４】
また、図１２の第１表示エリア７の画像表示タイムチャート６１と第２表示エリア１７の画像表示タイムチャート６２で撮影タイミングの予測について説明する。第１表示エリア７に１番目の注目画像「動画像Ｄ」とカウントダウン表示が開始されてから３秒後のｙ１において被写体から視認可能な第２表示エリア１７に注目画像「動画像Ｄ」の表示が開始されるが、被写体から視認可能な第２表示エリア１７に「動画像Ｄ」の表示が開始されるｙ１のタイミングにおいて、子供などの被写体の表情が変化する可能性が高い。撮影者は第１表示エリア７のカウントダウンを見ることでｙ１のタイミングを予測可能となるので、被写体の表情の変化するタイミングを逃さずにシャッタを押すことができる。第２表示エリア１７に「静止画像Ａ」が表示されるタイミングｙ２、「音声付動画像Ｅ」が表示されるタイミングｙ３、及び「動画像Ｄ」が再度表示されるタイミングｙ４も同様にシャッタチャンスとして予測可能である。前記タイミング以外でも、撮影者は動画像のシーンを設定された時間（この例では３秒）だけ被写体が見るより早く見られるため被写体の表情が変化するタイミングを予測することが可能となる。
【００７５】
尚、上記の実施の形態では電子カメラ１に本発明を適用した例について記述したが、被写体を撮像する装置及び被写体を撮像する処理を実行させるプログラムであれば、携帯電話やＰＤＡの装置や内蔵されるプログラムなどにも適用される。
【００７６】
【発明の効果】
以上、実施の形態で詳記したように本発明の請求項１に記載の撮像装置によれば、カメラの被写体側と撮影者側の両方の面に表示部を設けて被写体側表示部に被写体である子供の興味を引くような画像を表示する際に、撮影者側表示部にも被写体側表示部に表示する画像を設定時間だけ早く表示することで被写体側表示部に画像が表示されるタイミングを事前に得て、子供の表情の変化を予測できるようにしてシャッタチャンスを逃さなくすることを可能とした。
【００７７】
また、実施の形態で詳記したように本発明の請求項５に記載の撮像装置によれば、一度撮影したシャッタタイミングを被写体側画像の表示内容及び表示経過時間と関連付けて記憶し、再度同じ画像が表示される際に同一のタイミングで自動的に撮影動作を行うことを可能とした。
【図面の簡単な説明】
【図１】本発明の実施の形態に係る電子カメラ１の外観図。
【図２】図１の電子カメラ１の回路部の構成を示すブロック図。
【図３】図２のプログラムメモリに記憶されるデータの構成を示す図。
【図４】図２のフラッシュメモリに記憶されるデータの構成を示す図。
【図５】図１の電子カメラ１で実行される注目撮影設定の処理を示すフローチャート。
【図６】図１の電子カメラ１で実行される注目撮影モードの処理を示すフローチャート。
【図７】図１の電子カメラ１で実行される画像表示処理を示すフローチャート。
【図８】図１の電子カメラ１で実行される撮影処理を示すフローチャート。
【図９】図１の電子カメラ１の第１表示エリアに表示される注目撮影設定の表示状態図。
【図１０】図１の電子カメラ１の第１表示エリアに表示される注目撮影設定の表示状態図。
【図１１】図１の電子カメラ１の第１表示エリアに表示される注目撮影モードの表示状態図。
【図１２】図１の電子カメラ１の注目撮影モードにおける第１表示エリア及び第２表示エリアの画像表示状態を示すタイムチャート図。
【符号の説明】
１  電子カメラ
７  第１表示エリア
８  動作モードキー
９  ＭＥＮＵキー
１０  十字操作レバーキー
１３  ＵＳＢインターフェイス端子部
１４  レンズ部
１６  ストロボ
１７  第２表示エリア
１８  スピーカ
１９  マイク
２０  電源キー
２１  シャッタキー
３１  撮像部
３２  画像信号処理部
３３  制御部
３４  プログラムメモリ
３５  ワークメモリ
３６  フラッシュメモリ
３７  外部記憶媒体
３８  画像圧縮伸張部
３９  第１表示部
４０  第２表示部
４１  キー入力部
４２  ストロボ制御部
４３  音声入出力部
４４  時間計測部
４５  通信送受信部
【図１】
2004266771.tif 000003
【図２】
2004266771.tif 000004
【図３】
2004266771.tif 000005
【図４】
2004266771.tif 000006
【図５】
2004266771.tif 000007
【図６】
2004266771.tif 000008
【図７】
2004266771.tif 000009
【図８】
2004266771.tif 000010
【図９】
2004266771.tif 000011
【図１０】
2004266771.tif 000012
【図１１】
2004266771.tif 000013
【図１２】
2004266771.tif 000014